(57)【要約】      （修正有）【課題】薄型の装置を壁面に取り付ける壁面取付金具において、装置の裏面に装着する装置側の取付金具と壁面に取り付ける壁面側の取付金具を同一の形状とし両者に兼用可能な形状とする。【解決手段】取付金具（１００−１，１００−２）は、薄型の装置（２００）の裏面あるいは壁面（３００）にネジ等で固定される底板と、底板の一方の端部から垂直に立ち上がり2つのネジ穴（１５１−１，１５１−２）を有する第１の側面（１５０）と、底板の他方の端部から第１の側面（１５０）と平行に立ち上がりＴ字形の溝（１４１）を有する第２の側面（１４０）を有している。装置の裏面に取付けられている第１の取付金具（１００−１）と壁面に取り付けられている第２の取付金具（１００−２）の、一方の第１の側面（１５０）のネジ穴（１５１−１，１５１−２）と他方の第２の側面（１４０）のＴ字形の溝（１４１）を止めネジ（１６０−１，１６０−２）により結合する。【選択図】図５
2012007629.tif 000002
【特許請求の範囲】
【請求項１】
壁面に物品を取り付ける壁面取付金具であって、
前記壁面記取付金具は、底板と、前記底板の一方の端部から垂直に立ち上がる第１の側面と、前記底板の他方の端部から第１の側面と平行に立ち上がる第２の側面を有し、
前記底板は前記壁面あるいは前記物品の裏面に当該取付金具を取り付ける取付金具固定手段を有し、
前記第１の側面は少なくとも２つの止めネジ用のネジ穴を有し、
前記第２の側面は、前記第１の側面の前記２つの止めネジ用のネジ穴に対応する位置にＴ字形の溝を有することを特徴とする壁面取付金具。
【請求項２】
請求項１記載の壁面取付金具であって、
前記壁面取付金具は更に、第１の側面と第２の側面の間の底板の端部から垂直に立ち上がる第３の側面を有し、
前記第３の側面の端部には係止片を、前記第３の側面の立ち上がり部には前記係止片が侵入可能な形状の係止孔を有することを特徴とする壁面取付金具。
【請求項３】
請求項１または請求項２記載の壁面取付金具であって、
前記取付金具固定手段は複数のネジ止め用の穴であることを特徴とする壁面取付金具。
【請求項４】
請求項３記載の壁面取付金具であって、
少なくとも正方形の頂点となる４つのネジ止め用の穴を有することを特徴とする壁面取付金具。
【発明の詳細な説明】
【技術分野】
【０００１】
本発明は平面アンテナ等の薄型の装置を壁面に取り付ける壁面取付金具に関するものであり、詳しくは、装置の裏面に取り付けられた第１の金具と壁面に取り付けられた第２の金具を結合することにより装置を壁面に取り付ける金具であり、壁面から大きく突出すること無く装置を壁面に取り付けることを可能とする壁面取付金具に関するものである。
【背景技術】
【０００２】
平面アンテナ等を建物に取り付ける取付金具の構成、あるいは取付機能に関する文献には以下の特許文献が存在する。
特開2002-043817公報(特許文献１)に記載される平面アンテナの取付装置は、本体金具１８とホルダ金具１９からなり、本体金具１８の側面の外側にホルダ金具１９の側面が接している。両側面の上方においてネジ２４で結合されると共に、一方の円弧状長穴１９ｂを介してネジ２４が本体金具１８の側面にねじ込まれかつ他方の円弧状長穴１９ｂを介して仰角セットノブ２１が本体金具１８の側面にねじ込まれている構成である。
【０００３】
また、特開2002-009517公報(特許文献２)に記載されるアンテナ取付構造は、アンテナ本体１を、その仰角方向の回転中心で回転可能に保持するアンテナ取付部材１０を備えた構造であり、アンテナ本体１とアンテナ取付部材１０との間でアンテナ本体の重心より離れた位置にスペーサ６を介在して、アンテナ本体の回転中心を設定し、アンテナ取付部材１０に、スペーサ６とアンテナ取付部材１０との間に摩擦力を発生させ且つ摩擦力を調節する摩擦力発生・調節手段(取付ボルト１５)を設け、摩擦力によりアンテナ本体を回転中心において仰角方向に角度調節可能に保持する構成である。
【先行技術文献】
【特許文献】
【０００４】
【特許文献１】特開2002-043817号公報
【特許文献２】特開2002-009517号公報
【発明の概要】
【発明が解決しようとする課題】
【０００５】
アンテナの分野において、近年アンテナ本体を薄型化し且つ指向性を広くすることが可能となり、薄型のアンテナに対する需要が増加している。平面アンテナ等の薄型の装置を壁面に取り付けるためには、装置の裏面に取り付ける第１の取付金具と、壁面に取り付けて装置側の第１の取付金具と結合させる第２の取付金具の２種類の金具が必要となる。また、装置を確実に取り付けるためには、装置側の第１の取付金具と壁面側の第２の取付金具を正確に結合させると共に、両者を止めネジ等により確実に固定する必要がある。止めネジ等を強く締め付けるためには広い作業空間を必要とするため、装置を壁面に近接させて設置することが困難となる。
【０００６】
本発明は、平面アンテナ等の薄型の装置を壁面に取り付ける壁面取付金具において、装置の裏面に取り付ける第１の取付金具と壁面に取り付ける第２の取付金具を同一の形状とし、両者を兼用可能とするものである。また、薄型の装置に取り付けられた第１の取付金具と壁面に取り付けられた第２の取付金具を簡単に結合することができ、結合の作業に大きな労力と広い空間を必要としない取付金具を提供するものである。
【課題を解決するための手段】
【０００７】
本発明に係る取付金具は、薄型の装置の裏面、及び建物等の壁面にネジ等により固定される底板と、底板の一方の端部から垂直に立ち上がり、２つの止めネジ用のネジ穴を有する第１の側面と、底板の他方の端部から第１の側面と平行に立ち上がり、Ｔ字形の溝を有する第２の側面から構成されている。２つの取付金具を対向させて結合した時、第１の側面に開けられた２つのネジ穴が、第２の側面に設けられたＴ字形の溝の２つの端部と重なる構成となっている。
また、端部に係止片を、底板からの立ち上がり部に係止孔を有する第３の側面を設け、２つの取付金具を結合させた時、一方の取付金具の係止片が他方の取付金具の係止孔に侵入する構成とすることにより、2つの取付金具の結合作業を確実かつ容易とすることが可能となる。
【発明の効果】
【０００８】
上記構成を有する本発明の取付金具は、薄型の装置の裏面に固定されている第１の取付金具の第１の側面と、壁面に取り付けられている第２の取付金具の第２の側面が止めネジにより固定し、薄型の装置の裏面に取り付けられている第１の取付金具の第２の側面と、壁面に取り付けられている第１の取付金具の第１の側面が止めネジより固定することにより、平面アンテナ等の薄型の装置を壁面に取り付けるものである。ネジ止め作業は、装置の裏面と壁面に取り付けられた２つの取付金具の第１の側面と第２の側面の横方向から止めネジにより固定するものである。
上記構成により、装置の裏面に取り付ける第１の取付金具と壁面に取り付ける第２の取付金具を同一の形状とすることができ、製造コストを低減することが可能となる。また、薄型の装置の裏面と壁面の間隔は取付金具の第１の側面と第２の側面の高さと略一致し、装置が壁面から大きく突出することはない。従来装置の多くが装置と壁面の間の空間で取付作業を行う必要があったが、本発明に係る取付金具では、取付金具の横方向からネジ止めの作業を行うことが可能となり、作業効率を高めることが可能となる。
【図面の簡単な説明】
【０００９】
【図１】本発明に係る壁面取付金具の１つの実施例の投影図
【図２】図１に示される壁面取付金具の斜視図
【図３】図１に示される壁面取付金具を装置の裏面に取り付けた図
【図４】図１に示される壁面取付金具を壁面に取り付けた図
【図５】装置を壁面に取り付ける工程を示す図
【図６】装置を壁面に取り付けた状態を示す図
【発明を実施するための形態】
【００１０】
本発明に係る取付金具は、１つを平面アンテナ等の薄型の装置(以下「アンテナ」と表記する)の裏面に取り付け、他の１つを壁面等アンテナを設置する箇所に取り付け、これら２つの取付金具をネジにより結合することによりアンテナを壁等に取り付けるものである。
図１は本発明の１つの実施態様に係る取付金具１００の詳細な投影図であり、(ａ)は取付金具１００の上面図、(ｂ)は第３の側面の図、(ｃ)は第２の側面の図、(ｄ)は第１の側面の図である。また、図２は２つの取付金具の斜視図であり、１００−１はアンテナの裏面に取り付ける第１の取付金具、１００−２は壁面等に取り付ける第２の取付金具であり、両者は同一の形状である。１６０は２つの取付金具の結合に使用する止めネジである。本実施態様では４本の止めネジを使用するが、２本のみが図示されている。
【００１１】
取付金具１００は矩形の底板１１０と、底板１１０の四辺から垂直に立ち上がる第１の側面１５０、第２の側面１４０、第３の側面１２０、及び第４の側面１３０により構成されている。第１の側面１５０と第２の側面１４０と第３の側面１２０は略同一の高さであり、第４の側面１３０は他の側面の略半分の高さである。
第３の側面１２０の上部中央に第４の側面１３０に向かって垂直に突出する係止片１２１が設けられている。また、第３の側面１２０が底板１１０から立ち上がる辺の中央部には、２つの取付金具１００を結合した時、他方の取付金具の係止片１２１が挿入される係止孔１２２が設けられている。図３乃至図６に示される作業工程では、アンテナに取り付けられている第１の取付金具１００−１の係止片１２１が、壁面に取り付けられている第２の取付金具１００−２の係止孔１２２に挿入される。
【００１２】
第２の側面１４０には、上辺に開口部１４１を有するＴ字形の溝が形成されている。２つの取付金具１００を結合した時、Ｔ字形の溝の２つの端部１４２−１と１４２−２に結合用の止めネジが位置する。
第１の側面１５０には２つの取付金具１００を結合する結合用のネジのネジ穴１５１−１と１５１−２が開けられている。ネジ穴１５１−１と１５１−２は、第２の側面１４０に開けられたＴ字形の溝の２つの端部１４２−１と１４２−２に対向する位置に設けられている。図１(ｄ)の第１の側面１５０には第２の側面１４０に設けられたＴ字形の溝が点線で図示されている。
第４の側面１３０は他の３つの側面の略半分の高さであり、２つの取付金具１００を結合した時、両者の第４の側面１３０の先端が対向する状態となる。
【００１３】
底板１１０には当該取付金具をアンテナの裏面に取り付けるネジ用の穴と、壁面に取り付ける壁掛け用の穴が設けられている。図示される実施態様では、ネジ用の穴は１１２−１ないし１１２−８の８個設けられており、壁掛け用の穴は１１１−１と１１１−２の２個設けられている。ネジ用の穴の１１２−２、１１２−３、１１２−６、１１２−７は正方形の頂点となる位置に設けられている。これら４個のネジ用の穴を用いて取付金具をアンテナ本体に取り付けることにより、取付金具をアンテナ本体に対して縦方向と横方向の任意の方向に取り付けることが可能となる。
【００１４】
図３は、第１の取付金具１００−１をアンテナ２００の裏面に取り付けた状態を示す図である。アンテナ２００の裏面に設けられた４つのネジ穴に第１の取付金具１００−１のネジ用の穴、１１２−２、１１２−３、１１２−６、及び１１２−７を介してネジ止めすることにより、第１の取付金具１００−１をアンテナ２００の裏面に固定してある。第１の側面１５０に開けられている２つのネジ穴の一方、図５では第２のネジ穴１５１−２に止めネジ１６０−１が仮止めされている。
【００１５】
図４は、第２の取付金具１００−２を壁３００に取り付けた状態を示す図である。壁３００に取り付けられたフック用の金具１１３−１と１１３−２に第２の取付金具の底板１００に開けられた壁掛け用の穴１１１−１と１１１−２を掛けることにより、第２の取付金具１００−２は壁３００に取り付けられている。第２の取付金具１００−２の第１の側面１５０に開けられている２つのネジ穴の内、第１の取付金具１００−１の止めネジ１６０−１が仮止めされているネジ穴と異なる側のネジ穴、図５では第１のネジ穴１５１−１に止めネジ１６０−２が仮止めされている。
【００１６】
図５は、アンテナ２００の裏面に取り付けられた第１の取付金具１００−１を壁３００に取り付けられた第２の取付金具１００−２に結合させる作業工程を示す図であり、図６は取付金具１００−１と１００−２を結合した状態を示す図である。
図５において、第１の取付金具１００−１と第２の取付金具１００−２を対向させ、第１の取付金具１００−１の止めネジ挿入口１４１が第２の取付金具１００−２の第１ネジ穴１５１−１に仮止めされている止めネジ１６０−２の位置となるように、また、第１の取付金具１００−１の第２ネジ穴１５１−２に仮止めされている止めネジ１６０−１が第２の取付金具１００−２の止めネジ挿入口１４１の位置となるように、アンテナ２００を壁３００に向けて移動させる(図５の(ａ))。
【００１７】
第２の取付金具１００−２のネジ１６０−２が第１の取付金具１００−１の止めネジ挿入口１４１に入り、第１の取付金具１００−１の止めネジ１６０−１が第２の取付金具１００−２の止めネジ挿入口１４１に入った時、第１の取付金具１００−１の第３の側面１２０は第２の取付金具１００−２の第３の側面１２０の外側に位置し、第１の取付金具１００−１の第３の側面１２０に設けられている係止片１２１は、第２の取付金具１００−１の第３の側面１２０の立ち上がり部に設けられている係止孔１２２に対向している。
上記の状態のアンテナ２００を図５の(ｂ)の方向に移動させる。この移動により、第２の取付金具１００−２の止めネジ１６０−２は第１の取付金具１００−１のＴ字形の溝の第２端部１４２−１に移動し、第１の取付金具１００−１の止めネジ１６０−１は第２の取付金具１００−２のＴ字形の溝の第１端部１４２−２に移動する。また、第１の取付金具１００−１の係止片１２１は、第２の取付金具１００−２の係止孔１２２内に侵入する。
【００１８】
図５の(ｂ)の方向の移動が完了した後、止めネジ１６０−１と止めネジ１６０−２を固定すると共に、図６に示される様に、止めネジ１６０−４を第２の取付金具１００−２の第２ネジ穴１５１−２にネジ止めし、止めネジ１６０−３を第１の取付金具１００−１の第１ネジ穴１５１−１にネジ止めする。
図３乃至図６に示される例では、第１の取付金具１００−１のネジ穴１５１−２と第２の取付金具１００−２のネジ穴１５１−１に止めネジを仮止めして２つの取付金具を結合する手順であるが、第１の取付金具１００−１のネジ穴１５１−１と第２の取付金具１００−２のネジ穴１５１−２に止めネジを仮止めして２つの取付金具を結合する手順も可能である。この場合、第１の取付金具１００−１の第３の側面１２０は第２の取付金具１００−２の第３の側面１２０の内側に位置する。アンテナ２００を図５の(ｂ)の逆方向に移動させることにより、第２の取付金具１００−２の係止片１２１が、第１の取付金具１００−２の係止孔１２２に入る。
【産業上の利用可能性】
【００１９】
本発明は薄型アンテナ等の板状の装置を壁面等に取り付ける際に使用する取付金具に関するものであり、装置の裏面に取り付けた第１の取り付け金具と壁面に取り付けた第２の金具を結合することにより装置を壁面に取り付ける取付金具に関するものである。本発明に係る取付金具は、底板と、底板の一方の端部から垂直に立ち上がる第１の側面と、底板の他方の端部から垂直に立ち上がり且つ第１の側面と平行な第２の側面を有している。底板には壁面あるいは装置の裏面に当該取付金具を取り付ける取付金具固定手段、例えばネジ用の穴と壁掛け用の穴が設けられている。また、第１の側面には少なくとも２つの止めネジ用のネジ穴が、第２の側面には側面の端部に止めネジの挿入口を有し且つ前記２つの止めネジが位置するＴ字形の溝が設けられている。
【００２０】
本発明に係る取付金具を装置の裏面と壁面の各々に取り付け、装置の裏面に取り付けられた第１の取付金具の第１の側面のネジ穴に仮止めされたとネジを壁面に取り付けられた第２取付金具の第２の側面に開けられたＴ字形の溝に挿入し、壁面の金具の第１の側面のネジ穴に仮止めされたネジを装置の裏面の金具の第２の側面に開けられたＴ字形の溝に挿入して固定することにより、装置を壁面等に取り付けることが可能となる。本発明に係る取付金具は装置の裏面に取り付ける第１の取付金具と壁面に取り付ける第２の取付金具は同一の形状であり、両者を兼用することが可能となる。
第１の側面と第２の側面をネジにより固定する作業は取付金具の横からの作業であり、装置と壁面の間に作業用の空間を必要とせず、装置を壁面に接近して設置することが可能となる。
【００２１】
取付金具の第１の側面と第２の側面の間で底板からの立ち上がり、端部に係止片を有し底板からの立ち上がり部に前記の係止片が侵入可能な形状の係止孔を有する第３の側面を有する構成とすることが可能である。上記構成では、装置の裏面に取り付けた第１の取付金具と壁面に取り付けた第２の取付金具を結合したとき、一方の取付金具の係止片が他方の取付金具の係止孔に入ることにより、両者の位置関係が正確に規定される。この時、一方の取付金具の第２の側面に開けられたＴ字形の溝は他方の取付金具の第１の側面のネジ穴の前方に正確に位置し、ネジ穴に止めネジを螺号して２つの取付金具を固定する作業を容易に行うことが可能となる。
【００２２】
本発明に係る取付金具の底板には、取付金具を装置の裏面あるいは壁面に取り付ける取付金具固定手段を有している。取付金具固定手段をネジ用の穴とすることによりネジ、或いは木ネジ等により簡単に装置の裏面あるいは壁面に取り付けることが可能となる。本実施態様では装置の裏面に取り付けるネジ穴と壁面の取り付ける穴は異なっているが、両者を兼用する構成とすることが可能である。
装置の裏面に取り付けるネジ穴を正方形の頂点となる位置に設けることにより、装置に対する取付金具の方向を縦方向と横方向から選択可能になり、装置の取付場所の状況に即した柔軟な対応が可能となる。
【図１】
2012007629.tif 000003
【図２】
2012007629.tif 000004
【図３】
2012007629.tif 000005
【図４】
2012007629.tif 000006
【図５】
2012007629.tif 000007
【図６】
2012007629.tif 000008